(57)【要約】【課題】  ウォームビズ用のネクタイＮを装着して十分な保温効果を得ることができながら、オフィスなどの公式な場所でも違和感なくウォームビズ用のネクタイＮの装着ができるウォームビズ専用シャツを提供する。【解決手段】  着用者Ｐの首に巻く部分６と、着用者の首に巻く部分に取り付けられて胸部の一部を覆う覆い片７と、さらに着用者の首に巻く部分に取り付けられて着用者の胸部に垂れ下げられるネクタイ片８とを備えたウォームビズ用のネクタイを着用するときに用いるウォームビズ専用シャツであって、その襟の開口側の上部側にウォームビズ用のネクタイの突出部または結び目を受け入れる盗み取り部２が形成されている。【選択図】  図１
2007239125.tif 000002
【特許請求の範囲】
【請求項１】
着用者の首に巻く部分と、この首に巻く部分に設けられて着用者の胸部に垂れ下げられるネクタイ片とを備えたウォームビズ用のネクタイを着用するときに用いるウォームビズ専用シャツであって、その襟の開口側の上部側にウォームビズ用のネクタイの突出部または結び目を受け入れる盗み取り部が形成されているウォームビズ専用シャツ。
【請求項２】
着用者の首に巻く部分と、着用者の首に巻く部分に取り付けられて胸部の一部を覆う覆い片と、さらに着用者の首に巻く部分に取り付けられて着用者の胸部に垂れ下げられるネクタイ片とを備えたウォームビズ用のネクタイを着用するときに用いるウォームビズ専用シャツであって、その襟の開口側の上部側にウォームビズ用のネクタイの突出部または結び目を受け入れる盗み取り部が形成されている請求項１に記載のウォームビズ専用シャツ。
【請求項３】
着用者の首に巻く部分が、着用者の首から胸部の一部にかけて覆う覆い片を備えるものであり、ネクタイ片が、この覆い片に取り付けられて着用者の胸部に垂れ下げられたウォームビズ用のネクタイを着用するときに用いるウォームビズ専用シャツであって、その襟の開口側の上部側にウォームビズ用のネクタイの突出部または結び目を受け入れる盗み取り部が形成されている請求項１または２に記載のウォームビズ専用シャツ。
【請求項４】
着用者の首に巻く部分と、着用者の胸部に垂れ下げられるネクタイ片とが一体になってウォームビズ用のネクタイを構成し、このウォームビズ用のネクタイを着用するときに用いるウォームビズ専用シャツであって、その襟の開口側の上部側にウォームビズ用のネクタイの突出部または結び目を受け入れる盗み取り部が形成されている請求項１に記載のウォームビズ専用シャツ。
【請求項５】
請求項１から４にのいずれかにおいて、前記盗み取り部が正面視概略三角形状に形成されているウォームビズ専用シャツ。
【請求項６】
請求項１から５のいずれかにおいて、前記襟における盗み取り部の近くに襟の浮き上がりを防止する留め具が取り付けられているウォームビズ専用シャツ。
【請求項７】
請求項１から６のいずれかにおいて、前記襟の前部の左右を連結する連結手段を備えたウォームビズ専用シャツ。
【請求項８】
請求項１から７のいずれかにおいて、前記襟の盗み取り部の周辺部分にステッチが形成されているウォームビズ専用シャツ。
【発明の詳細な説明】
【技術分野】
【０００１】
本発明案は、ウォームビズ用のネクタイと共に使用されて、このネクタイをオフィスなどでも違和感なく着用できるウォームビズ専用シャツに関するものである。
【背景技術】
【０００２】
環境省では、地球温暖化防止対策として、オフィスでの暖房温度を２０℃にすることを推奨している。このような要望を満たすために、着用時に襟元部分を暖かくするネクタイが提案されている。このネクタイは、その大検部分にシルク素材を使い、中接部分にウールの混紡素材を使ったものである（特許文献１参照）。しかし、このネクタイでは、十分な保温効果が得られ難く、寒い部屋などでは着用しても首の周りに寒さを感じる。
【特許文献１】特開２００２−３０５０８号公報
【発明の開示】
【発明が解決しようとする課題】
【０００３】
このような観点から本発明者は、以前に寒い部屋でも十分な保温効果が得られるウォームビズ用のネクタイを提案した。その代表的な一例は、着用者の首に巻く部分と、着用者の首に巻く部分に取り付けられて胸部の一部を覆う覆い片と、さらに着用者の首に巻く部分に取り付けられて着用者の胸部に垂れ下げられたネクタイ片とを備えており、このウォームビズ用のネクタイを着用するときには、シャツの第一ボタン又はこれと第二ボタンを共に外した状態で装着する必要があった。
【０００４】
しかし、以上のネクタイは、装着するときシャツの第１ボタン又はこれと第２ボタンを共に取り外す必要があって、外観がくだけた状態となるので、オフィスなどの公式な場所で着用するには違和感があって不向きであった。
【０００５】
そこで、本発明は、ウォームビズ用のネクタイを装着して十分な保温効果を得ることができながら、オフィスなどの公式な場所でもウォームビズ用のネクタイを違和感なく装着することができるウォームビズ用のシャツを提供することを目的とする。
【課題を解決するための手段】
【０００６】
上記目的を達成するために、本発明は、一例として着用者の首に巻く部分と、この首に巻く部分に設けられて着用者の胸部に垂れ下げられるネクタイ片とを備えたウォームビズ用のネクタイ、また他の例としては、着用者の首に巻く部分と、着用者の首に巻く部分に取り付けられて着用者の胸部の一部を覆う覆い片と、さらに着用者の首に巻く部分に取り付けられて着用者の胸部に垂れ下げられるネクタイ片とを備えたウォームビズ用のネクタイを着用するときに用いるウォームビズ専用シャツであって、その襟の開口側の上部側にウォームビズ用のネクタイの突出部または結び目を受け入れる盗み取り部が形成されている。
【０００７】
ウォームビズ用のネクタイを装着するときには、その首に巻く部分を着用者の首の周りに装着して、この首に巻く部分に取り付けられて胸部の一部を覆う覆い片により着用者の首周りから胸部の一部を覆い、同時に前記首に巻く部分に取り付けられたネクタイ片を着用者が着用するウォームビズ専用シャツの表側に沿わせて下方に垂れ下げる。そして、このとき前記シャツのボタンをネクタイ片を盗み取り部にセットできる程度まで留める。ボタンは全部を留めても良いし、タブカラーなどでボタンを全部留めたと同様な形にセットしても良い。そして、ネクタイ片の突出部または結び目をシャツの盗み取り部に嵌め込んだ状態に位置させる。このようにすることにより、前記首に巻く部分により着用者の首周りが保温される。また、前記ネクタイ片はその突出部または結び目がシャツの盗み取り部に嵌め込まれた状態で位置され、この状態でシャツの表側に垂れ下げられるので、外観がすっきりと締まった状態となって、通常のネクタイと同様にオフィスなどでも違和感のない装着が可能となる。
ウォームビズ用のネクタイは着用者の首に巻く部分と、着用者の胸部に垂れ下げられるネクタイ片とが一体になって構成され、このウォームビズ用のネクタイを着用するときにウォームビズ専用シャツが用いられてもよい。
【０００８】
本発明の一実施形態では、前記盗み取り部が正面視概略三角形状に形成されている。このようにすれば、ウォームビズ用のネクタイの突出部または結び目をウォームビズ専用シャツの盗み取り部に外観良好に嵌め込み状態に位置させられる。これによりネクタイの違和感のない装着が可能となる。
【０００９】
また、本発明の他の実施形態では、前記襟における盗み取り部の周辺部分にステッチが形成されている。このようにステッチを設ければ、襟の盗み取り部の周辺部分が補強されて、襟に盗み取り部を設けるにも拘らず、その開口側の浮き上がりが防止されるので、ウォームビズ用のネクタイの装着時の外観が良好となる。
【００１０】
さらに、本発明の他の実施形態では、前記襟における盗み取り部の近くに襟の浮き上がりを防止する留め具が取り付けられている。このようにしても、襟の開口側の浮き上がりが防止されるので、ウォームビズ用のネクタイの装着時の外観が良好となる。留め具とボタンダウンとを併用しても良い。
また、本発明の他の実施形態では、前記襟の前部の左右を連結する連結手段、例えば通称タブカラーといわれるタブ或いは襟を連結するためのカラーピンなどを備えることにより襟元の整形を行なう。
【発明の効果】
【００１１】
以上の発明にかかるウォームビズ専用シャツによれば、ウォームビズ用のネクタイをオフィスなどでも違和感なく装着することができる。
【発明を実施するための最良の形態】
【００１２】
以下、本発明にかかるウォームビズ専用シャツを図面に基づいて説明する。図１(Ａ)(Ｂ)はそれぞれ本発明の実施形態にかかるシャツの要部を示す正面図である。同図のシャツＳは、襟１の開口１０側における上方部分にウォームビズ用のネクタイの結び目を受け入れる正面視概略三角形状の盗み取り部２を形成している。以下の説明においては、この盗み取り部を、従来のシャツを元にして説明しているが、将来の製品化においては、商品の企画段階から盛り込んで製作するものである。つまり、従来のシャツを元にして説明すると、盗み取り部２は、襟１の開口１０の上部側で襟１の表面１１と裏面１２の生地一部を切り取った態様に形成される。図中、１３はシャツＳの前面に上下複数列にわたって設けられたボタン、１４はそのボタンホールである。このボタン１３のうち最上部の第1ボタン１３は、シャツＳの着心地を良くするために、前記盗み取り部２が形成される襟1の表面１１，裏面１２の上端縁１６よりも約１cm程度低い位置に取り付ける。
なお、タブ１５をつける場合には、これによって襟元の整形が行なわれるので、第１ボタンをつけなくてもよい場合もある。
【００１３】
図２は襟１に盗み取り部２を形成するときの一例を示す正面図、図３はそのときの襟を立てた状態を示す正面図である。これら各図の斜線で示すように、襟１の開口１０側で表面１１の上端縁Ｂから、これに沿った表面１１，裏面１２の上縁で前記Ｂ位置より所定距離側方に離れたＣ位置にかけて切断し、同時にこのＣ位置から、前記Ｂ位置より所定距離下方に離れたＡ位置にかけて表面１１の一部を概略三角形状に切り取り、つまり各図のＡ−Ｂ、Ｂ−Ｃ、Ｃ−Ａで囲まれる表面１１の一部を切り取る。また、前記Ｃ位置から、襟１の開口１０側で裏面１２の上端縁より所定距離下方に離れたＤ位置にかけて中間位置Ｅを通るように裏面１２の一部を切り取り、つまり各図のＣ−Ｄ、Ｄ−Ｅ、Ｅ−Ｃで囲まれる裏面１２の一部を切り取る。
【００１４】
前記各部の切り取り長さの一例を具体的に示すと、次のようになる。Ｂ−Ｃ＝２．６ｃｍ、Ｃ−Ａ＝４．０ｃｍ、Ｃ−Ｄ＝５．０ｃｍ、Ａ−Ｂ＝３．０ｃｍ、Ｂ−Ｅ＝０．６ｃｍである。
上記数字は、細幅のレギュラーシャツのサイズの場合であり、シャツのカラーの大きさは各種あるので上記数字に限られるものではない。
【００１５】
図４は本発明の別の実施形態にかかるウォームビズ専用シャツＳの要部を示す正面図である。この実施形態では、前記襟１における盗み取り部２の周辺部分にステッチ３を形成している。同図では、襟１における開口１０の端縁全体及び表面１１の下縁と、裏面１２の上縁部分にステッチ３を形成している。このようにステッチ３を設ければ、襟１の盗み取り部２の周辺部分が補強され、襟１に盗み取り部２を形成するにも拘らず、その開口１０側が浮き上がるのが防止されるので、ウォームビズ用のネクタイの装着時の外観が良好となる。
【００１６】
図５は本発明のさらに別の実施形態にかかるウォームビズ専用シャツＳの要部を示す正面図である。この実施形態では、前記襟１における盗み取り部２の近くの左右両側で襟１の表面１１，裏面１２に、襟１の開口１０側の浮き上がりを防止する雌雄スナップや面ファスナーなどからなる留め具４、4ａが取り付けられている。このようにすると、襟1の開口１０側の浮き上がりが防止されるので、ウォームビズ用のネクタイの装着時の外観が良好となる。また、この図の実施形態では、前記襟１の盗み取り部２の近くで襟１の裏面１２の内側にウォームビズ用のネクタイをシャツＳに係止させるための雌雄スナップや面ファスナーなどからなる複数個の雌又は雄形の留め具５が取り付けられている。留め具５は好ましくは襟の裏面１２の内側の上部もしくは中部に複数個取り付ける。
【００１７】
図６は本発明のシャツＳを着用するときに好適に用いられるウォームビズ用のネクタイＮの斜視図、図７は本発明のシャツＳを着用した着用者Ｐがウォームビズ用のネクタイＮを装着した状態を示す正面図である。この実施形態のネクタイＮは、着用者Ｐの首の周りに取り付けられる細長い帯状の首巻き部６と、この首巻き部６の幅方向中央下部に直交方向に取り付けられて着用者Ｐの首近くの胸部一部を覆う矩形状の覆い片７とを備え、前記首巻き部６にはシャツＳの表側に沿って着用者Ｐの胸部に垂れ下げられるネクタイ片８が取り付けられている。この図の実施形態では、前記ネクタイ片８に形成する突出部８０の上方一部を首巻き部６の裏側に折り返し、この折り返し片８１を縫着などすることにより、ネクタイ片８を首巻き部６に一体化させている。前記首巻き部６の長さ方向両側にはスナップや面ファスナーなどからなる複数の雌雄留め具６１，６1が取り付けられ、前記首巻き部６を着用者Ｐの首周りに巻いて各留め具６１を止着することにより、前記首巻き部６と覆い片７及びネクタイ片８の全体を着用者Ｐに装着するようにしている。
【００１８】
また、前記首巻き部６の表面側でネクタイ片８の突出部８０の両側位置に、前記シャツＳにおける襟１の盗み取り部２の近くで襟１の内面に設けた留め具５に係止される雄又は雌形の留め具６２が複数個取り付けられている。そして、これらの留め具５，６２を介して前記ウォームビズ用のネクタイＮをシャツＳに一体状に取り付けることにより、着用者の首周りの負担を軽減するとともに型崩れを招くことなくネクタイＮを外観良好に装着することが可能となる。
図８は本発明のシャツＳを着用するときに好適に用いられる他の形態のウォームビズ用のネクタイＮの斜視図である。この形態のウォームビズ用のネクタイＮは、ネクタイ片の結び目８０より基端側が首巻き部６を構成し、この首巻き部６に覆い片７が取り付けられている。
【００１９】
図９は本発明のシャツＳに好適に用いられる別のウォームビズ用のネクタイＮを分解して示す正面図である。同図の実施形態では、前記ネクタイＮの首巻き部６と覆い片７とが分離して脱着可能に形成されており、この覆い片７の着用時に首の上部側に位置する上縁部にＶないしＵ字状のカット面７１が形成されている。この図の実施形態では、前記首巻き部６の裏側の下縁部にスナップや面ファスナーなどからなる複数の雌又は雄形の留め具６３を、また、前記覆い片７の表側にカット面７１に沿って前記留め具６３に係脱可能な雄又は雌形の留め具７２をそれぞれ取り付け、これらの留め具６３，７２を介して前記首巻き部６を覆い片７の表側の上縁部に脱着可能に取り付けている。
【００２０】
また、この実施形態では、ネクタイ片８として、その上部の結び目８０の部分から一体をなす取付片８１が直交方向に伸びたものを用い、この取付片８１の裏面側に複数の雌又は雄形の留め具８２を、また、前記首巻き部6の表側の上縁部に前記留め具８２に係脱可能な雄又は雌形の留め具６４をそれぞれ取り付け、これらの留め具８２，６４を介して前記首巻き部６の表側の上縁部にネクタイ片８を脱着可能に取り付けている。前記首巻き部６を着用者の首に巻き付けて装着したとき、首巻き部６がシャツＳの内側に隠れるように設定され、しかも前記取付片８１の両端部も外部に露出させることなく、着用時の意匠外観を高めるようにしている。
【００２１】
次に、以上のウォームビズ専用シャツＳを着用してウォームビズ用のネクタイＮを装着するときの手順について説明する。先ず、ウォームビズ用のネクタイＮの首巻き部６を着用者Ｐの首の周りに装着して、この首巻き部６により着用者Ｐの首周りを覆い、同時に覆い片７によって胸の一部を覆い、前記首巻き部６に取り付けられたネクタイ片８をウォームビズ専用シャツＳの表側に沿わせて下方に垂れ下げる。そして、このときシャツＳの第１ボタン１３を閉じた状態で前記ネクタイ片８の突出部または結び目８０を前記シャツＳの襟１の開口１０側に形成した盗み取り部２に嵌め込んだ状態で位置させる。このようにすることにより、前記首巻き部６により着用者Ｐの首周りが保温され覆い片７によって首近くの胸部が保温される。また、前記ネクタイ片８はその突出部または結び目８０がシャツＳの盗み取り部２に嵌め込まれた状態で位置され、この状態でシャツＳの表側に垂れ下げられるので、外観がすっきりと締まった状態となって、通常のネクタイと同様にオフィスなどの公式な場所でも違和感のない装着が可能となる。
【００２２】
また、以上のように，ウォームビズ用のネクタイＮを着用するときには、前記襟１の開口１０が外方に開こうとするが、これを防止するためには、タブカラーワイシャツのように襟１の左右の襟先からそれぞれ係止片を突出させ、これら係止片を係止させて開口１０を閉じるか、或いは、開口１０をカラーピンによって締めるようにすればよい。
【図面の簡単な説明】
【００２３】
【図１】(Ａ)(Ｂ)は本発明にかかるウォームビズ専用シャツの実施形態をそれぞれ示す正面図である。
【図２】襟に盗み取り部を形成するときの一例を示す正面図である。
【図３】そのときの襟を立てた状態を示す正面図である。
【図４】本発明の別の実施形態にかかるウォームビズ専用シャツの要部を示す正面図である。
【図５】本発明のさらに別の実施形態にかかるウォームビズ専用シャツの要部を示す正面図である。
【図６】本発明のシャツを着用するときに好適に用いられるウォームビズ用のネクタイを示す斜視図である。
【図７】本発明のシャツを着用した着用者がウォームビズ用のネクタイを装着した状態を示す正面図である。
【図８】本発明のシャツを着用するときに好適に用いられる他のウォームビズ用のネクタイを示す斜視図である。
【図９】本発明のシャツに好適に用いられる別のウォームビズ用のネクタイを分解して示す正面図である。
【符号の説明】
【００２４】
１    襟
１０  開口
２    盗み取り部
３    ステッチ
４    留め具
７    覆い片
８    ネクタイ片
８０  突出部または結び目
Ｎ    ウォームビズ用のネクタイ
Ｐ    着用者
【図１】
2007239125.tif 000003
【図２】
2007239125.tif 000004
【図３】
2007239125.tif 000005
【図４】
2007239125.tif 000006
【図５】
2007239125.tif 000007
【図６】
2007239125.tif 000008
【図７】
2007239125.tif 000009
【図８】
2007239125.tif 000010
【図９】
2007239125.tif 000011